(57)【要約】【課題】ヘッドホンステレオに付属するヘッドホンコードは、収納時にもつれやすく、多くはもつれたコードをほどくことに時間がかかり、使用者のストレスとなっていた。  また、ヘッドホンステレオ本体に付属又は別途購入することになるヘッドホンは、各社の規格等によりコードの長さが異なり、使用者の使用環境に合わせたものとなっていなかった。【解決手段】ヘッドホンコード収納クリップを使用することにより、▲１▼ヘッドホンコードのもつれをなくし、簡易迅速な収納、装着が可能となる。  また、装着に際して、ヘッドホンステレオ本体又はリモコンの近辺で使用することにより、▲２▼使用者の使用環境に沿った長さに調節した上で、▲３▼クリップ留めとして衣服等につけて使用するか又は別に保管ことが可能となる。【選択図】  図１
2006067537.tif 000002
【特許請求の範囲】
【請求項１】
ヘッドホンステレオ、ポータブルＭＤ、ポータブルＣＤ、ＩＣレコーダー、ポータブルラジオ等（以下ヘッドホンステレオという。）の聴き取りに使用するヘッドホンコードやイヤホンコード（以下ヘッドホンコードという。）について、簡単な収納を特徴とする。
【請求項２】
仕様によって異なるヘッドホンコードの長さを、使用者にとって都合のいい長さに調整できることを特徴とする。
【請求項３】
個々の使用者の使用環境に合わせ、ヘッドホンステレオ本体と別に保管するか、本体付近に簡単なクリップ留めとするかの選択が可能なことを特徴とする。
【発明の詳細な説明】
【発明の詳細な説明】
【技術分野】
【０００１】  この発明は、ヘッドホンステレオに使用するヘッドホンコードの収納に用いる付属品に関する。
【背景技術】
【０００２】  ヘッドホンステレオ本体の小型化の要請により、その聴き取りに使用するヘッドホンについては、多くの場合、特別の収納スペースが確保されていないことから、収納時にヘッドホンコードがもつれやすく、使用者の利用に不便を来たしている。
さらに、ヘッド本体購入時に付属又は別に販売されているヘッドホンは、各社の規格等の違いにより、使用者の状況に適したコードの長さが十分に考慮されておらず、また、収納時、ヘッドホンを別に保管するか、ヘッドホンステレオ本体付近に留めておくかの選択が使用者に委ねられておらず、使用者の便宜に即した状態となっていない。
【特許文献１】  特開２００３−３２４７８４
【特許文献２】  特開２００３−１５３０５３
【特許文献３】  特開２００２−０５８０９０
【特許文献４】  特開２００２−０２７５８４
【特許文献５】  特開２００１−３４６２８７
【特許文献６】  特開２０００−０５９８７７
【特許文献７】  特開平１１−３１７９９５
【特許文献８】  特開平１１−２５２６７８
【特許文献９】  特開平１０−２９４９８４
【特許文献１０】  特開平１０−１５５１９２
【特許文献１１】  特開平１０−０７５０７０
【特許文献１２】  特開平１０−０５１８７７
【特許文献１３】  特開平１０−０２３５８７
【特許文献１４】  特開平０９−３０７９８２
【特許文献１５】  特開平０９−３０７９８１
【特許文献１６】  特開平０９−１８７０９２
【特許文献１７】  特開平０９−１５４１９６
【特許文献１８】  特開平０９−０８４１６９
【特許文献１９】  特開平０８−２２３６８０
【特許文献２０】  特開平０８−０９８２９１
【特許文献２１】  特開平０９−３２６８７２
【特許文献２２】  特開平０７−３２６８７１
【特許文献２３】  特開平０６−２６９０７３
【発明が解決しようとする課題】
【０００３】  以上の技術によれば、いずれの課題の解決も使用者側の労力と負担に期待され、▲１▼ヘッドホンコードのもつれ防止、▲２▼適切な長さへの調節、▲３▼▲１▼及び▲２▼の機能を有した収納クリップを使っての着脱方法の選択という、総合的な解決策は確立してはいない。
【課題を解決するための手段】
【０００４】  ヘッドホン（左右のヘッドホンコードの長さが異なるものを含む。）、イヤホンの別に関わらず、ヘッドホンコード収納クリップを使用することにより、▲１▼簡単にヘッドホンコードの着脱が可能となるとともに、▲２▼同クリップをヘッドホン本体又はリモコンの付近に装着することにより、適当な長さに調節でき、かつ、▲３▼クリップ機能の活用により、ヘッドホンステレオのより快適な使用が可能となる。
以上の課題を解決するために、考案した上記ヘッドホンコード収納クリップに係る第一発明は、収納クリップの天地方向から内側に向け、ヘッドホンのプラグと本体固定させるための切り込み溝を有するフラスコ形の突起を２ヶ所設ける。その溝の先端は、プラグやヘッドホンを固定するためのものとし、これにより、ヘッドホン（左右のヘッドホンコードの長さが異なるものを含む）又はイヤホンの別にかかわらず、簡易なヘッドホンコードの着脱が可能となる。
また、第二発明は、より簡易迅速にヘッドホンコードを巻き込みやすくするために、クリップの形をひょうたん形にして、その凹みの部分に、ヘッドホンコードを巻きつけることによって、付属又は購入するヘッドホン等の規格により、それぞれ異なるコードの長さを予め調節できるようにした。
最後に、第三発明は、第一発明及び第二発明で示した天地方向から内側に伸びるフラスコ形の切り込み溝自体に、衣服のポケットやバッグ類に装着するためのクリップ機能をもたせることにより、使用者の状況に適した利用という課題を克服することを可能とした。
【本発明の実施の形態】
【０００５】  以下、本発明の実施形態を説明する。
（１）ヘッドホンステレオを使用するに当たり、ヘッドホンコードに本収納クリップを装着して、ステレオ本体又はリモコンに接続する。
▲１▼本収納クリップ天地両端にあるのいずれかのフラスコ形の切り込み溝に、ヘッドホンのプラグ側を固定させ、それを支点に、ヘッドホン本体の部分を片方に持ち、収納クリップの側面にあるひょうたん形の凹みに沿って、もう一方の手でヘッドホンコードを巻きつけ、巻き終わった時点で、残ったフラスコ形の切り込み溝にヘッドホン本体を固定させる。
▲２▼２本の長さが異なるヘッドホンの場合は、短い方が巻き終わった時点でもう一方のフラスコ形の切り込み溝に固定させる。残った長い方のイヤホン本体を巻き付け終わった時点で、どちらか適当な切り込み溝に固定させて収納を終了させる。
（２）次に、使用者の便宜により、次の２つの選択が可能となる。
▲１▼収納クリップを、ヘッドホンステレオ本体と接続させたまま利用する。
▲２▼保管に当たっては、▲１▼の状態でそのまま保管するか、ヘッドホンステレオ本体又はリモコンジャックからヘッドホンをはずし、収納クリップを単体で別所に保管する。
【発明の効果】
【０００６】  このように、▲１▼もつれやすかったヘッドホンコードの着脱がスムーズになるとともに、▲２▼使用者の使用状況に応じたコードの長さに調節でき、▲３▼使用者の選択により、衣服等に取り付けるか又は別所への保管用器具として用いることが可能となる。
【図面の簡単な説明】
【図１】  この発明の一実施形態を示す斜視図である。
【図２】  従来技術を示す斜視図である。
【符号の説明】
１  ヘッドホンステレオの本体
２  リモコン
３  ヘッドホン
４  ヘッドホンコード
５  ヘッドホンコード収納クリップ
６  ヘッドホン本体及びプラグ固定用、フラスコ形切込み溝
７  ヘッドホン留め用クリップ
８  ヘッドホンコード巻き込み用凹み
【図１】
2006067537.tif 000003
【図２】
2006067537.tif 000004